(57)【要約】【課題】キー入力の操作手順を、画面表示に頼らずユーザへ案内することができる電子機器及びその操作案内方法、操作案内用プログラム、この電子機器を用いたネットワークシステムを提供する。【解決手段】キーシーケンス制御手段１８が、キーシーケンスファイルに従って各キーに対応する発光素子を順次点灯させるように発光素子制御手段１２に対して指示する。よって、ユーザへの操作案内を画面表示に頼らずキー明示によって行うことができる。【選択図】図２
2008140195.tif 000002
【特許請求の範囲】
【請求項１】
複数の入力キーを備えた電子機器において、
前記キーそれぞれに対応して個別に設けられた発光素子と、この各発光素子の点灯又は消灯を個別に切替制御する発光素子制御手段と、前記電子機器における一機能を実行するためのキー操作手順を示すキーシーケンスファイルに従って前記各キーに対応する発光素子を順次点灯させるように前記発光素子制御手段に対して指示するキーシーケンス制御手段とを備えたことを特徴とする電子機器。
【請求項２】
前記請求項１に記載の電子機器において、
前記キーシーケンス制御手段は、前記キーシーケンスファイルに基づいて押下させるべきキーに対応する発光素子を点灯させ、当該キーが押下されるとこの対応する発光素子を消灯させて次に押下させるべきキーに対応する発光素子を点灯させるように前記発光素子制御手段に対して指示する機能を備えたことを特徴とする電子機器。
【請求項３】
前記請求項１又は２に記載の電子機器において、
前記キーシーケンス制御手段は、幾つかのキーから選択押下させる手順が前記キーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるように前記発光素子制御手段に対して指示する機能を備えたことを特徴とする電子機器。
【請求項４】
前記請求項１乃至３のいずれか一項に記載の電子機器において、
前記キーシーケンスファイルを実行内容毎に記憶するキーシーケンスファイル記憶手段を備えたことを特徴とする電子機器。
【請求項５】
前記請求項１乃至４のいずれか一項に記載の電子機器において、
ユーザの操作による指示入力に応じて前記キーシーケンスファイル記憶手段からユーザ所望のキーシーケンスファイルを選出するシーケンス選択手段を備えたことを特徴とする電子機器。
【請求項６】
前記請求項１乃至５のいずれか一項に記載の電子機器において、
前記キーシーケンスファイルに基づいてキー操作を補助するメッセージを予め装備した画面に表示するメッセージ表示手段を備えたことを特徴とする電子機器。
【請求項７】
前記請求項１乃至６のいずれか一項に記載の電子機器において、
ウェブサイトを管理するウェブサーバから当該ウェブサイトのアクセスに伴うコマンド入力のキー操作手順を示すキーシーケンスファイルを通信ネットワークを介して受信するキーシーケンスファイル受信手段を備えたことを特徴とする電子機器。
【請求項８】
通信ネットワーク上でウェブサイトを管理するウェブサーバと、前記通信ネットワークに接続する電子機器とを備えて構成されたネットワークシステムにおいて、
前記ウェブサーバは、前記ウェブサイトのアクセスに伴うコマンド入力のキー操作手順を示すキーシーケンスファイルを前記電子機器へ送信するキーシーケンスファイル送信手段を備え、
前記電子機器は、予め備えた複数のキーそれぞれに対応して個別に設けられた発光素子と、この各発光素子の点灯又は消灯を個別に切替制御する発光素子制御手段と、前記ウェブサーバからの前記キーシーケンスファイルを前記通信ネットワークを介して受信するキーシーケンスファイル受信手段と、この受信されたキーシーケンスファイルに従って前記各キーに対応する発光素子を順次点灯させるように前記発光素子制御手段に対して指示するキーシーケンス制御手段とを備えたことを特徴とするネットワークシステム。
【請求項９】
前記請求項８に記載のネットワークシステムにおいて、
前記電子機器におけるキーシーケンス制御手段が、前記キーシーケンスファイルに基づいて押下させるべきキーに対応する発光素子を点灯させ、当該キーが押下されるとこの対応する発光素子を消灯させて次に押下させるべきキーに対応する発光素子を点灯させるように前記発光素子制御手段に対して指示する機能を備えたことを特徴とするネットワークシステム。
【請求項１０】
前記請求項８又は９に記載のネットワークシステムにおいて、
前記電子機器におけるキーシーケンス制御手段は、幾つかのキーから選択押下させる手順が前記キーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるように前記発光素子制御手段に対して指示する機能を備えたことを特徴とするネットワークシステム。
【請求項１１】
前記請求項８乃至１０のいずれか一項に記載のネットワークシステムにおいて、
前記電子機器が、前記キーシーケンスファイルを記憶するキーシーケンスファイル記憶手段を備えたことを特徴とするネットワークシステム。
【請求項１２】
前記請求項８乃至１１のいずれか一項に記載のネットワークシステムにおいて、
前記電子機器が、ユーザの操作による指示入力に応じて前記キーシーケンスファイル記憶手段からユーザ所望のキーシーケンスファイルを選出するシーケンス選択手段を備えたことを特徴とするネットワークシステム。
【請求項１３】
前記請求項８乃至１２のいずれか一項に記載のネットワークシステムにおいて、
前記電子機器が、前記キーシーケンスファイルに基づいてキー操作を補助するメッセージを予め装備した画面に表示するメッセージ表示手段を備えたことを特徴とするネットワークシステム。
【請求項１４】
複数の入力キーを備えた電子機器の操作手順をユーザに案内する操作案内方法であって、
前記電子機器における一機能を実行するためのキー操作手順を示すキーシーケンスファイルを読み込むキーシーケンスファイル読込工程と、
前記キーシーケンスファイルに従って予め前記各キーに対応して個別に装備された発光素子を順次点灯させるキーシーケンス明示工程とを設けたことを特徴とする操作案内方法。
【請求項１５】
前記請求項１４に記載の操作案内方法において、
前記キーシーケンス明示工程では、前記キーシーケンスファイルに基づいて押下させるべきキーに対応する発光素子を点灯させ、当該キーが押下されるとこの対応する発光素子を消灯させて次に押下させるべきキーに対応する発光素子を点灯させるようにしたことを特徴とする操作案内方法。
【請求項１６】
前記請求項１４又は１５に記載の操作案内方法において、
前記キーシーケンス明示工程では、幾つかのキーから選択押下させる手順が前記キーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるようにしたことを特徴とする操作案内方法。
【請求項１７】
前記請求項１４乃至１６のいずれか一項に記載の操作案内方法において、
前記キーシーケンスファイルに基づいてキー操作を補助するメッセージを画面に表示するメッセージ表示工程を設けたことを特徴とする操作案内方法。
【請求項１８】
前記請求項１４乃至１７のいずれか一項に記載の操作案内方法において、
ウェブサイトを管理するウェブサーバから当該ウェブサイトのアクセスに伴うコマンド入力のキー操作手順を示すキーシーケンスファイルを通信ネットワークを介して受信するキーシーケンスファイル受信工程を設けたことを特徴とする操作案内方法。
【請求項１９】
前記請求項１４乃至１８のいずれか一項に記載の操作案内方法において、
前記キーシーケンスファイルを記憶するキーシーケンスファイル記憶工程を設けたことを特徴とする操作案内方法。
【請求項２０】
前記請求項１９に記載の操作案内方法において、
ユーザの操作による指示入力に応じて前記記憶された複数のキーシーケンスファイルからユーザ所望のキーシーケンスファイルを選出するシーケンス選択工程を設け、
前記キーシーケンスファイル読込工程では、前記シーケンス選択工程で選出されたシーケンスデータを読み込むようにしたことを特徴とする操作案内方法。
【請求項２１】
複数の入力キーを備えた電子機器を制御するコンピュータに、
前記電子機器における一機能を実行するためのキー操作手順を示すキーシーケンスファイルを読み込むキーシーケンスファイル読込処理と、
前記キーシーケンスファイルに従って予め前記各キーに対応して個別に装備された発光素子を順次点灯又は消灯させるように制御するキーシーケンス制御処理とを実行させることを特徴とする操作案内用プログラム。
【請求項２２】
前記請求項２１に記載の操作案内用プログラムにおいて、
前記キーシーケンス制御処理は、前記キーシーケンスファイルに基づいてユーザに押下させるべきキーに対応する発光素子を点灯させ、当該キーが押下されるとこの対応する発光素子を消灯させて次に押下させるべきキーに対応する発光素子を点灯させるように制御する内容に特定されたことを特徴とする操作案内用プログラム。
【請求項２３】
前記請求項２１又は２２に記載の操作案内用プログラムにおいて、
前記キーシーケンス制御処理は、幾つかのキーから選択押下させる手順が前記キーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるように制御する内容に特定されたことを特徴とする操作案内用プログラム。
【請求項２４】
前記請求項２１乃至２３のいずれか一項に記載の操作案内用プログラムにおいて、
前記キーシーケンスファイルに基づいてキー操作を補助するメッセージを画面に表示するメッセージ表示処理を前記コンピュータに実行させることを特徴とする操作案内用プログラム。
【請求項２５】
前記請求項２１乃至２４のいずれか一項に記載の操作案内用プログラムにおいて、
ウェブサイトを管理するウェブサーバから当該ウェブサイトのアクセスに伴うコマンド入力のキー操作手順を示すキーシーケンスファイルを通信ネットワークを介して受信するキーシーケンスファイル受信処理を前記コンピュータに実行させることを特徴とする操作案内用プログラム。
【請求項２６】
前記請求項２１乃至２５のいずれか一項に記載の操作案内用プログラムにおいて、
前記キーシーケンスファイルを記憶するキーシーケンスファイル記憶処理を前記コンピュータに実行させることを特徴とする操作案内用プログラム。
【請求項２７】
前記請求項２６に記載の操作案内用プログラムにおいて、
ユーザの操作による指示入力に応じて前記キーシーケンスファイル記憶処理で記憶された複数のキーシーケンスファイルからユーザ所望のキーシーケンスファイルを選出するシーケンス選択処理と共に、
前記キーシーケンスファイル読込処理を、前記シーケンス選択処理で選出されたシーケンスデータを読み込むように内容を特定して前記コンピュータに実行させることを特徴とする操作案内用プログラム。
【発明の詳細な説明】
【技術分野】
【０００１】
本発明は、複数の入力キーを備えた電子機器を用いたネットワークシステム、この電子機器及びその操作案内方法、操作案内用プログラムに関する。
【背景技術】
【０００２】
従来、情報端末を用いてウェブサービスを利用する際にユーザ登録が必要な場合がある。このユーザ登録に際しては、本登録前に仮パスワードが発行されることがあり、この場合、本登録時にこの仮パスワードを入力する必要がある。例えば、ユーザ端末からサービス提供者側へユーザ登録申請が送信されると、提供者側からユーザ端末へ本登録を受け付けるウェブページのＵＲＬと仮パスワードとがＥメールで通知される。そして、ユーザ端末において本登録のためのウェブページを開き指定された箇所に仮パスワードを入力しユーザ登録を行う。
【０００３】
しかし、このようなユーザ登録の場面において、携帯電話のように画面の表示領域が限られている場合には、Ｅメール画面と本登録を受け付けるウェブページとを同時に表示することができず、ユーザは、Ｅメールによって通知された仮パスワードを暗記するか又は書き留めて本登録時に入力する必要があった。
【０００４】
しかし、ユーザが仮パスワードを暗記したり書き留めたりしていては、ユーザにとって大変煩わしく迅速な操作ができないと共に、不慣れなユーザにとっては操作が思うようにできないという問題があった。
【０００５】
このような画面の表示領域が限られている端末の問題点を改善するためのキー入力を支援する技術が、特許文献１に開示されている。特許文献１の装置は、操作手順の説明を画面に表示するヘルプ機能を利用する際に、所望する機能を実行させるためのキー入力の手順を、押下すべきキーを順次点灯させて案内する機能を備えている。
【０００６】
【特許文献１】特開２０００‐１６３２０１号公報
【発明の開示】
【発明が解決しようとする課題】
【０００７】
しかしながら、特許文献１の装置は、当該装置が予め備えている各種機能を実行するためのキー操作については、画面に表示される説明を書き留めることなく実行することができるが、Ｅメールによって通知される仮パスワードなどの外部から新たに得る情報に関するキー入力については案内することができず、ユーザは通知された情報を書き留めなくてはならないという不都合があった。
【０００８】
そこで、本発明は、上記従来技術の不都合を改善し、外部から得た情報に関するキー入力の操作手順を、画面表示に頼らずユーザへ案内することができる電子機器及びその操作案内方法、操作案内用プログラム、この電子機器を用いたネットワークシステムを提供することを、その目的とする。
【課題を解決するための手段】
【０００９】
上記目的を達成するため、本発明の電子機器は、複数の入力キーを備えた電子機器であり、キーそれぞれに対応して個別に設けられた発光素子と、この各発光素子の点灯又は消灯を個別に切替制御する発光素子制御手段と、電子機器における一機能を実行するためのキー操作手順を示すキーシーケンスファイルに従って各キーに対応する発光素子を順次点灯させるように発光素子制御手段に対して指示するキーシーケンス制御手段とを備えたことを特徴とする（請求項１）。
【００１０】
このような電子機器によれば、キーシーケンス制御手段がキーシーケンスファイルに基づいてキーを点灯させてキー操作を案内するので、画面表示に頼らずユーザへキー操作手順を案内することができる。さらに、目的に応じたキーシーケンスファイルを用いれば、様々な内容のキー操作手順を画面表示に頼らずユーザへ明示することができる。
【００１１】
また、上記の電子機器において、上述したキーシーケンス制御手段は、キーシーケンスファイルに基づいて押下させるべきキーに対応する発光素子を点灯させ、当該キーが押下されるとこの対応する発光素子を消灯させて次に押下させるべきキーに対応する発光素子を点灯させるように発光素子制御手段に対して指示する機能を備えてもよい（請求項２）。このようにすると、ユーザに対して明確にキー操作手順を案内できる。
【００１２】
また、上記の電子機器において、上述したキーシーケンス制御手段は、幾つかのキーから選択押下させる手順がキーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるように発光素子制御手段に対して指示する機能を備えてもよい（請求項３）。このようにすると、幾つかのキーから選択入力させるようなキー操作手順をユーザに対して案内できる。例えば、状況に応じた数字入力を促す場合に「０」から「９」の数字キー全てを点灯させて案内するなどがある。
【００１３】
また、上記の電子機器は、キーシーケンスファイルを実行内容毎に記憶するキーシーケンスファイル記憶手段を備えてもよい（請求項４）。このようにすると、ユーザの要求に応じていつでもキー操作手順を案内できる。
【００１４】
また、上記の電子機器は、ユーザの操作による指示入力に応じてキーシーケンスファイル記憶手段からユーザ所望のキーシーケンスファイルを選出するシーケンス選択手段を備えてもよい（請求項５）。このようにすると、ユーザに要求に応じて様々な内容のキー操作手順を案内できる。
【００１５】
また、上記の電子機器は、キーシーケンスファイルに基づいてキー操作を補助するメッセージを予め装備した画面に表示するメッセージ表示手段を備えてもよい（請求項６）。このようにすると、キーの点灯だけでは案内できないキー操作を案内することができる。
【００１６】
また、上記の電子機器は、ウェブサイトを管理するウェブサーバから当該ウェブサイトのアクセスに伴うコマンド入力のキー操作手順を示すキーシーケンスファイルを通信ネットワークを介して受信するキーシーケンスファイル受信手段を備えてもよい（請求項７）。このようにすると、外部から新たに得る情報に関するキー入力についても案内することができる。
【００１７】
次に、本発明のネットワークシステムは、通信ネットワーク上でウェブサイトを管理するウェブサーバと、通信ネットワークに接続する電子機器とを備えて構成されており、ウェブサーバは、ウェブサイトのアクセスに伴うコマンド入力のキー操作手順を示すキーシーケンスファイルを電子機器へ送信するキーシーケンスファイル送信手段を備え、電子機器は、予め備えた複数のキーそれぞれに対応して個別に設けられた発光素子と、この各発光素子の点灯又は消灯を個別に切替制御する発光素子制御手段と、ウェブサーバからのキーシーケンスファイルを通信ネットワークを介して受信するキーシーケンスファイル受信手段と、この受信されたキーシーケンスファイルに従って各キーに対応する発光素子を順次点灯させるように発光素子制御手段に対して指示するキーシーケンス制御手段とを備えたことを特徴とする（請求項８）。
【００１８】
このようなネットワークシステムによれば、ウェブサーバが携帯電話端末へキーシーケンスファイルを送信し、携帯電話端末では、キーシーケンスファイルに従ってキーの点灯・消灯が制御される。これにより、キー操作手順情報そのものを通知しなくても、ウェブサイトへのアクセスが可能である。
【００１９】
また、上記のネットワークシステムにおいて、上述した電子機器におけるキーシーケンス制御手段が、キーシーケンスファイルに基づいて押下させるべきキーに対応する発光素子を点灯させ、当該キーが押下されるとこの対応する発光素子を消灯させて次に押下させるべきキーに対応する発光素子を点灯させるように発光素子制御手段に対して指示する機能を備えてもよい（請求項９）。このようにすると、明確にキー操作手順を案内できる。
【００２０】
また、上記のネットワークシステムにおいて、上述した電子機器におけるキーシーケンス制御手段は、幾つかのキーから選択押下させる手順がキーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるように発光素子制御手段に対して指示する機能を備えたことを特徴とするネットワークシステム（請求項１０）。このようにすると、幾つかのキーから選択入力させるようなキー操作手順をユーザに対して案内できる。
【００２１】
また、上記のネットワークシステムにおいて、上述した電子機器が、キーシーケンスファイルを記憶するキーシーケンスファイル記憶手段を備えてもよい（請求項１１）。このようにするといつでも様々な内容のキー操作を案内できる。
【００２２】
また、上記のネットワークシステムにおいて、上述した電子機器が、ユーザの操作による指示入力に応じてキーシーケンスファイル記憶手段からユーザ所望のキーシーケンスファイルを選出するシーケンス選択手段を備えてもよい（請求項１２）。このようにすると、ユーザの要求に応じて様々な内容のキー操作手順を案内できる。
【００２３】
また、上記のネットワークシステムにおいて、上述した電子機器が、キーシーケンスファイルに基づいてキー操作を補助するメッセージを予め装備した画面に表示するメッセージ表示手段を備えてもよい（請求項１３）。このようにすると、キー点灯だけでは案内できないキー操作をユーザに対して明示できる。
【００２４】
次に、本発明は、複数の入力キーを備えた電子機器の操作手順をユーザに案内する操作案内方法であって、電子機器における一機能を実行するためのキー操作手順を示すキーシーケンスファイルを読み込むキーシーケンスファイル読込工程と、キーシーケンスファイルに従って予め各キーに対応して個別に装備された発光素子を順次点灯させるキーシーケンス明示工程とを設けたことを特徴とする（請求項１４）。
【００２５】
また、上記の操作案内方法において、上述したキーシーケンス明示工程では、キーシーケンスファイルに基づいて押下させるべきキーに対応する発光素子を点灯させ、当該キーが押下されるとこの対応する発光素子を消灯させて次に押下させるべきキーに対応する発光素子を点灯させるようにしてもよい（請求項１５）。
【００２６】
また、上記の操作案内方法において、上述したキーシーケンス明示工程では、幾つかのキーから選択押下させる手順がキーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるようにしてもよい（請求項１６）。
【００２７】
また、上記の操作案内方法は、キーシーケンスファイルに基づいてキー操作を補助するメッセージを画面に表示するメッセージ表示工程を設けてもよい（請求項１７）。
【００２８】
また、上記の操作案内方法は、ウェブサイトを管理するウェブサーバから当該ウェブサイトのアクセス認証に伴うコマンド入力のキー操作手順を示すキーシーケンスファイルを通信ネットワークを介して受信するキーシーケンスファイル受信工程を設けてもよい（請求項１８）。
【００２９】
また、上記の操作案内方法は、キーシーケンスファイルを記憶するキーシーケンスファイル記憶工程を設けてもよい（請求項１９）。
【００３０】
また、上記の操作案内方法においては、ユーザの操作による指示入力に応じて記憶された複数のキーシーケンスファイルからユーザ所望のキーシーケンスファイルを選出するシーケンス選択工程を設け、上述したキーシーケンスファイル読込工程では、シーケンス選択工程で選出されたシーケンスデータを読み込むようにしてもよい（請求項２０）。
【００３１】
このような操作案内方法によれば、上記の電子機器と同様に、様々な内容のキー操作手順を画面表示に頼らずユーザに対して案内することができる。
【００３２】
次に、本発明の操作案内用プログラムは、複数の入力キーを備えた電子機器を制御するコンピュータに、電子機器における一機能を実行するためのキー操作手順を示すキーシーケンスファイルを読み込むキーシーケンスファイル読込処理と、キーシーケンスファイルに従って予め各キーに対応して個別に装備された発光素子を順次点灯又は消灯させるように制御するキーシーケンス制御処理とを実行させることを特徴とする（請求項２１）。
【００３３】
また、上記の操作案内用プログラムにおいて、上述したキーシーケンス制御処理は、キーシーケンスファイルに基づいてユーザに押下させるべきキーに対応する発光素子を点灯させ、当該キーが押下されるとこの対応する発光素子を消灯させて次に押下させるべきキーに対応する発光素子を点灯させるように制御する内容に特定されてもよい（請求項２２）。
【００３４】
また、上記の操作案内用プログラムにおいて、上述したキーシーケンス制御処理は、幾つかのキーから選択押下させる手順がキーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるように制御する内容に特定されてもよい（請求項２３）。
【００３５】
また、上記の操作案内用プログラムにおいては、キーシーケンスファイルに基づいてキー操作を補助するメッセージを画面に表示するメッセージ表示処理をコンピュータに実行させてもよい（請求項２４）。
【００３６】
また、上記の操作案内用プログラムにおいては、ウェブサイトを管理するウェブサーバから当該ウェブサイトのアクセス認証に伴うコマンド入力のキー操作手順を示すキーシーケンスファイルを通信ネットワークを介して受信するキーシーケンスファイル受信処理をコンピュータに実行させてもよい（請求項２５）。
【００３７】
また、上記の操作案内用プログラムにおいて、キーシーケンスファイルを記憶するキーシーケンスファイル記憶処理をコンピュータに実行させてもよい（請求項２６）。
【００３８】
また、上記の操作案内用プログラムにおいては、ユーザの操作による指示入力に応じてキーシーケンスファイル記憶処理で記憶された複数のキーシーケンスファイルからユーザ所望のキーシーケンスファイルを選出するシーケンス選択処理と共に、キーシーケンスファイル読込処理を、シーケンス選択処理で選出されたシーケンスデータを読み込むように内容を特定してコンピュータに実行させてもよい（請求項２７）。
【００３９】
このような操作案内用プログラムによれば、上記の電子機器と同様に、様々な内容のキー操作手順を画面表示に頼らずユーザに対して明示することができる。
【発明の効果】
【００４０】
本発明は以上のように構成され機能するため、これにより、電子機器においては、キー操作手順を示すキーシーケンスファイルに従って各キーに対応する発光素子を順次点灯させることができる。よって、ユーザへの操作案内を画面表示に頼らずキー明示によって行うことができ、目的に応じたキーシーケンスファイルを用いることで、様々な内容のキー操作手順を画面表示に頼らずユーザへ明示することができる電子機器及びその操作案内方法、操作案内用プログラム、この電子機器を用いたネットワークシステムを提供することができる。
【発明を実施するための最良の形態】
【００４１】
以下、本発明における一実施形態を、図面を参照して説明する。
【００４２】
図１は、本発明にかかる第１実施形態のネットワークシステムを示す図である。図２は、本第１実施形態における携帯電話端末４の構成を示すブロック図である。
【００４３】
本第１実施形態のネットワークシステムは、図１に示すように、通信ネットワーク１上でウェブサイトを管理するウェブサーバ２と、基地局３を介して通信ネットワーク１に接続する電子機器として携帯電話端末４を備えて構成されている。
【００４４】
本第１実施形態において、ユーザがウェブサーバ２の提供するウェブサービスを利用しようとする場合、ユーザは携帯電話端末４を用いてウェブサーバ２へアクセスしユーザ登録申請を送信する。ウェブサーバ２は、ユーザ登録申請を受信すると携帯電話端末４へ本登録を受け付けるウェブページのＵＲＬと仮パスワードとをＥメールで通知する。そして、ユーザは、携帯電話端末４を用いて本登録のためのウェブページを開き指定された箇所に仮パスワードを入力しユーザ登録を行いウェブサービスを利用する。
【００４５】
図１に示すウェブサーバ２は、通信ネットワーク１と接続し各種データを送受信する通信手段２１と、携帯電話端末４からユーザ登録申請情報に応じてウェブサイトのアクセス認証に伴う仮パスワードを発行する仮パスワード発行手段２２と、この発行された仮パスワードの入力にかかるキー操作手順を示すキーシーケンスファイルを作成するキーシーケンスファイル作成手段２３とを備えており、さらに、携帯電話４から送信される仮パスワードを認証し本登録を受け付けるユーザ登録受付手段２４を備えて構成されている。通信手段２１は、携帯電話端末４からユーザ登録申請情報を受信し、このユーザ登録申請情報に対して本登録を受け付けるウェブページのＵＲＬを通知するＥメールにキーシーケンスファイル作成手段２３により作成されたキーシーケンスファイルを添付して携帯電話端末４へ送信するキーシーケンスファイル送信手段としての機能を備えている。
【００４６】
図２に示すように、携帯電話端末４は、複数のキーからなる入力キー群１０１とこの入力キー群１０１のキーそれぞれに対応して個別に設けられた複数の発光素子からなる発光素子群１０２とを備えたキーパッド部１０と、入力キー群１０１のうちどのキーが押下されたかを検出するキー押下検出手段１１と、発光素子群１０２における個々の発光素子に対して点灯又は消灯を切替制御する発光素子制御手段１２とを備えている。
【００４７】
入力キー群１０１の各キーは透明であり、これらキーそれぞれがＬＥＤ（発光ダイオード）等の発光素子を内蔵している。これにより、入力キー群１０１の各キーを個別に点灯又は消灯させることができる構成となっている。
【００４８】
携帯電話端末４は、さらに、携帯電話端末４の動作を制御する制御部１３と、ＬＣＤ（液晶ディスプレイ）からなる表示部１４と、基地局３を介して通信ネットワーク１と接続し各種データを送受信する通信部１５とを備えて構成されおり、通信部１５は、ウェブサーバ２へユーザ登録申請情報を送信し、ユーザ登録申請情報に応じてウェブサーバ２から本登録を受け付けるウェブページのＵＲＬと仮パスワード入力のキー操作手順を示すキーシーケンスファイルとを通信ネットワーク１を介して受信するキーシーケンスファイル受信手段としての機能を有している。
【００４９】
またさらに、携帯電話端末４は、通信部１５により受信されたキーシーケンスファイルを実行内容毎に記憶するキーシーケンスファイル記憶手段１６を備えている。
【００５０】
制御部１３は、ユーザのキー操作による指示入力に応じてキーシーケンスファイル記憶手段１６からユーザ所望のキーシーケンスファイルを選出するシーケンス選択手段１７と、この選出されたキーシーケンスファイルに従って発光素子群１０２の各発光素子を順次点灯させるように発光素子制御手段１２に対して指示するキーシーケンス制御手段１８と、選出されたキーシーケンスファイルに基づいてキー操作を補助するメッセージを表示部１４に表示するメッセージ表示手段１９とを備えている。
【００５１】
キーシーケンス制御手段１８は、キーシーケンスファイルに基づいて押下させるべきキーに対応する発光素子を点灯させそのキーが押下されるとその発光素子を消灯させて次に押下させるべきキーに対応する発光素子を点灯させるように発光素子制御手段１２に対して指示する機能を備えており、また、幾つかのキーから選択押下させるような手順がキーシーケンスファイルに示されている場合、その選択可能な幾つかのキーに対応する全ての発光素子を同時に点灯させ、当該幾つかのキーのいずれかが押下されると点灯させた全ての発光素子を同時に消灯させるように発光素子制御手段１２に対して指示する機能を備えている。
【００５２】
メッセージ表示手段１９は、図３に示すように表示部１４の画面の一部にメッセージ欄２０を形成し、このメッセージ欄２０にユーザのキー操作を補助するメッセージを表示する機能を備えている。具体的には、キーシーケンスファイルに特定のキーの長押しを指示するデータが含まれていた場合に、その特定のキーに対応する発光素子の点灯と同期してメッセージ欄２０に「長く押す」と表示するなど、発光素子の点灯だけでは案内できないキー操作をメッセージでメッセージ欄２０に表示する。
【００５３】
次に、本第１実施形態の全体の動作について説明する。ここで、本発明の操作案内方法についてもその各工程を示して説明する。
【００５４】
図４は、本第１実施形態のネットワークシステムの全体の動作を示すシーケンス図である。ユーザが携帯電話端末４を用いてウェブサーバ２の提供するウェブサービスを利用しようとするときは、まず、携帯電話端末４がウェブサーバ２に通信ネットワーク１を介してアクセスし、ウェブサービスを利用するためのユーザ登録申請情報を送信し仮登録を行う（ステップＳ１）。
【００５５】
携帯電話端末４からのユーザ登録申請情報を受信したウェブサーバ２では、このユーザ登録申請情報に応じて仮パスワード発行手段２２により仮パスワードが発行され（ステップＳ２）、この発行された仮パスワードに基づいたキーシーケンスファイルがキーシーケンスファイル作成手段２３により作成される（ステップＳ３）。そして、このキーシーケンスファイルが添付されたＥメールがウェブサーバ２から携帯電話端末４へ送信される（ステップＳ４）。このＥメールには、本登録を受け付けるウェブページのＵＲＬと共に、このＵＲＬにアクセスして添付されたキーシーケンスファイルを実行するような指示が記載されている。
【００５６】
携帯電話端末４では、ユーザ登録申請に応じてウェブサーバ２から返信されたＥメールを通信部１５が受信し（キーシーケンスファイル受信工程）、このＥメールに添付されているキーシーケンスファイルがキーシーケンスファイル記憶手段１６により記憶される（ステップＳ５，キーシーケンスファイル記憶工程）。このとき、具体的には、図５に示すように、メニュー画面でユーザの操作により「ファイル保存」の項目が選択され、ファイル保存画面で「キーシーケンス」の項目が選択され、キーシーケンスファイルは‘キーシーケンス１’などのファイル名でキーシーケンスファイル記憶手段１６に保存される。
【００５７】
そして、ユーザが携帯電話端末４を用いてウェブサーバ２の提供するウェブサービスを利用するために本登録をしようとするとき、ユーザの操作に応じて携帯電話端末４が本登録を受け付けるＵＲＬにアクセスし（ステップＳ６）、ウェブサーバ２では、ユーザ登録受付手段２４が携帯電話端末４のアクセスを確認して本登録受付ウェブページを返信する（ステップＳ７）。
【００５８】
図６のような本登録画面が携帯電話端末４の表示部１４に表示されると、ユーザは本登録画面内の仮パスワード入力欄６１にカーソルがあるのを確認し、‘キーシーケンス１’などのファイル名で保存したキーシーケンスファイルをキーシーケンス制御手段１８に実行させるように携帯電話端末４を操作する。
【００５９】
そして、ユーザの操作をうけた携帯電話端末４では、シーケンス選択手段１７によってキーシーケンスファイル記憶手段１６からユーザ所望のキーシーケンスファイルである‘キーシーケンス１’が選出される（シーケンス選択工程）。キーシーケンス制御手段１８は、シーケンス選択手段１７により選出された‘キーシーケンス１’を読み込み（キーシーケンスファイル読込工程）、このキーシーケンスファイルに従って対応する発光素子を順次点灯させるように発光素子制御手段１２に対して指示する。このようなキーシーケンス制御手段１８からの指示に従って発光素子制御手段１２が、‘キーシーケンス１’に基づいて押下させるべきキーに対応する発光素子を点灯させ、このキーが押下されると対応する発光素子を消灯させて次に押下させるべきキーに対応する発光素子を点灯させる（ステップＳ８，キーシーケンス明示工程）。
【００６０】
例えば、仮パスワードが「１２３４」である場合、「１」キーに対応する発光素子が点灯し、この点灯に応じてユーザは「１」キーを押下する。これにより、本登録画面の仮パスワード入力欄６１には「１」が入力される。続いて、押下された「１」キーに対応する発光素子は消灯し、「２」キーに対応する発光素子が点灯する。この点灯に応じてユーザが「２」キーを押下し、本登録画面の仮パスワード入力欄６１に「２」が入力される。
【００６１】
このような動作を繰り返して、「１２３４」が入力され、「４」キーが押下されると、次は「↓」カーソルキーに対応する発光素子が点灯し、この点灯に応じてユーザが「↓」キーを押下する。これにより、本登録画面のカーソルが仮パスワード入力欄６１から「次へ」の項目上に移動する、「↓」キーの押下をうけて対応する発光素子は消灯し、「決定」キーに対応する発光素子が点灯する。
【００６２】
ユーザが「決定」キーを押下すると「決定」キーに対応する発光素子が消灯し、入力した仮パスワードがウェブサーバ２に送信される（ステップＳ９）。ウェブサーバ２においては、ユーザ登録受付手段２４が仮パスワードの照合を行い認証した場合に、個人情報入力ページを携帯電話端末４に返信する（ステップＳ１０）。個人情報入力画面が携帯電話端末４の表示部１４に表示されると、ユーザが個人情報を入力し（ステップＳ１１）、ウェブサービスに関するユーザ登録を完了する（ステップＳ１２）。
【００６３】
ここで、携帯電話端末４が備える制御部１３及び通信部１５、すなわち、シーケンス選択手段１７，キーシーケンス制御手段１８，メッセージ表示手段１９及び通信部１５については、その機能内容をプログラム化しコンピュータに実行させるように構成してもよい。
【００６４】
また、本第１実施形態においては、ウェブサーバ２がユーザ登録受付手段２４を備えているような構成であるが、それに限らず、ユーザ登録受付手段を備えた別のサーバを設けてもよい。この場合、ユーザ登録申請に応じてウェブサーバ２から携帯電話端末４へ返信されるＥメールには、ユーザ登録受付手段を備えた別のサーバのＵＲＬが記載され、携帯電話端末４がこの別のサーバにアクセスして本登録を行う構成となる。
【００６５】
以上のような本第１実施形態のネットワークシステムによれば、ウェブサーバ２が携帯電話端末４へ仮パスワードに基づいたキーシーケンスファイルを送信し、携帯電話端末４では、キーシーケンスファイルに従ってキーの点灯・消灯が制御される。これにより、仮パスワードそのものを通知しなくても、仮パスワード入力が可能であり、ユーザは無意味な文字列のパスワードを意識しなくてよい。
【００６６】
また、ユーザは、点灯されるキーを押下していくだけで仮パスワードを入力することができるので、画面とキーの両方を確認しながらの入力作業に比べて迅速な入力が可能となり、誤入力も軽減する。
【００６７】
さらに、仮パスワード入力のキーシーケンスファイルに限らず、ユーザに閲覧させたいウェブページに到達するまでのキー操作手順を示すキーシーケンスファイルを携帯電話端末４に提供して、ウェブサービス提供側が特定のサービスへユーザを誘導するなど、様々な内容のキーシーケンスファイルを用いることで目的に応じたキー操作をユーザに対して案内することも可能である。
【００６８】
また、キーシーケンスファイルに従ってキー操作を案内するだけで、実際にキーを操作するのはユーザであり、いわゆるマクロ機能のような自動操作ではないので、ユーザの知らないうちにパスワード入力が実行されてユーザ登録させたり、ユーザに不利益なウェブサイトに誘導させたりするような不正アクセスに利用されることは無い。
【００６９】
次に、本発明にかかる第２実施形態について説明する。
【００７０】
本第２実施形態の携帯電話端末４は、図２に示す第１実施形態と同様の構成であるが、キーシーケンスデータ記憶手段１６が、携帯電話端末４の各種機能を実行するためのキー操作手順を示すキーシーケンスファイルを機能内容毎に予め記憶していることが第１実施形態とは異なる構成である。
【００７１】
本第２実施形態の携帯電話端末４の動作について説明する。図７は、本第２実施形態の携帯電話端末４の動作を示すフローチャートである。
【００７２】
まず、ヘルプ機能等によりユーザが所望する機能が選択されると、シーケンス選択手段１７によってキーシーケンスファイル記憶手段１６からユーザ所望の機能を実行するためのキー操作手順を示すキーシーケンスファイルが選出される（ステップＳ７１）。
【００７３】
続いて、キーシーケンス制御手段１８は、シーケンス選択手段１７により選出されたキーシーケンスファイルを読み込み、このキーシーケンスファイルに従って対応する発光素子を順次点灯させて案内するように発光素子制御手段１２に対して指示する（ステップＳ７２）。キーシーケンス制御手段１８からの指示に従って発光素子制御手段１２が、キーシーケンスファイルに基づいて押下させるべきキーに対応する発光素子を点灯させる（ステップＳ７３）。
【００７４】
ユーザによるキーの押下がキー押下検出手段１１によって検出され（ステップＳ７４）、その押下キーが案内通りの押下させるべきキーである場合、その対応する発光素子を消灯させて（ステップＳ７６）、機能実行に必要な全操作が終了していなければ、次に押下させるべきキーに対応する発光素子を点灯させる。
【００７５】
押下させるべきキー以外のキーが押下された場合は、メッセージ表示手段１９によって画面のメッセージ欄２０に「エラー」メッセージが表示されてユーザに対して誤入力を通知する（ステップＳ７８）。
【００７６】
そして、機能実行に必要な全操作が終了すると、その機能が実行される（ステップＳ７９）。
【００７７】
次に、このような本第２実施形態の携帯電話端末４の動作を具体例を示して説明する。例えば、携帯電話端末４が備えた時計機能の時刻を２００６年１２月０２日１０時０５分に設定する場合について説明する。
【００７８】
まず、ユーザの操作によりヘルプ機能が呼び出されて、表示部１４にヘルプメニュー画面が表示される。ヘルプメニューから「時間設定」の項目が選択されると、画面には、“待ち受け画面から「Ｍｅｎｕ」キーを押す→「設定」→「時計」→「時刻設定」を選択して時刻を入力”というガイダンスが表示される。このガイダンス画面上の“順を追って説明”が選択されると、画面には“操作するキーを点灯させて設定終了までの操作手順を指示します。「決定」キーを押してください。”と表示され、「決定」キーが点灯する。
【００７９】
「決定」キーが押下されると待ち受け画面に切り替わり「決定」キーが消灯し、「Ｍｅｎｕ」キーが点灯する。「Ｍｅｎｕ」キーが押下されるとメニュー画面（図８（ａ））が表示され、「Ｍｅｎｕ」キーが消灯する。
【００８０】
続いて、「↑」カーソルキーが点灯し、「↑」キーが押下されるとメニュー画面（図８（ａ））上のカーソルが「設定」アイコンに移動し、「↑」キーは消灯する。そして、「決定」キーが点灯し、「決定」キーが押下されると設定メニュー画面（図８（ｂ））に切り替わり、「決定」キーは消灯する。
【００８１】
続いて、「３」キーが点灯し、「３」キーが押下されると設定メニュー画面（図８（ｂ））上の「時刻」項目が選択されて時刻メニュー画面（図８（ｃ））に切り替わり、「３」キーは消灯する。そして、「２」キーが点灯し、「２」キーが押下されると「時刻設定」項目が選択されて時刻設定画面（図８（ｄ））に切り替わり、「３」キーは消灯する。
【００８２】
続いて、時刻設定画面（図８（ｄ））上のメッセージ欄２０に“年を入力し「→」キーを押す”と表示され、「０」〜「９」キーの全てが点灯し「→」キーが点滅する。ユーザにより「０」キー、「６」キーと押下されると、年号が入力され、「→」キーが押下されると、メッセージ欄２０に“月を入力し「→」キーを押す”と表示される。同様にして月と日が入力されて「→」キーが押下されると、メッセージ欄２０に“時刻を入力し「決定」キーを押す”と表示され、「０」〜「９」キーの全てが点灯し「決定」キーが点滅する。
【００８３】
そして、ユーザにより「１」キー、「０」キー、「０」キー、「５」キーと押下されると、時刻が入力され、「→」キーが押下されると、“時刻設定完了”と表示されて終了し、時計機能の時刻が０６年１２月０２日１０時０５分に設定される。
【００８４】
このように、年月日や時刻入力のような場合は、押下可能な数字キーの全てを点灯させており、そのほか、複数のキーから選択入力させる場合は同様に、選択可能なキーに対応する発光素子の全てを同時に点灯させるようにする。また、特定のキーを長押しさせる場合は、メッセージ欄２０に“長く押す”と表示させて、特定のキーを点灯させるようにする。
【００８５】
以上のような本第２実施形態の携帯電話端末４によれば、一機能を実行するためのキー操作手順に基づいたキーシーケンスファイルに従ってキーの点灯・消灯が制御される。これにより、ユーザは、点灯されるキーを押下していくだけで所望の機能を実行することができ、不慣れなユーザでも各種機能を容易に利用することができる。
【００８６】
また、キーシーケンスファイルを用いてキー操作を案内しているので、新たな機能を搭載した場合でも、その機能に対応したキーシーケンスデータを記憶させれば、ユーザに対して新たな機能のキー操作を案内することができる。
【図面の簡単な説明】
【００８７】
【図１】本発明における第１実施形態のネットワークシステムの全体の構成を示すブロック図である。
【図２】図２に示す実施形態における携帯電話端末の構成を示すブロック図である。
【図３】図２に示す実施形態における携帯電話端末の表示画面を示す図である。
【図４】図２に示す実施形態のネットワークシステムの全体の動作を示すシーケンス図である。
【図５】図２に示す実施形態における携帯電話端末の表示画面の一例を示す図である。
【図６】図２に示す実施形態における携帯電話端末の表示画面の別の例を示す図である。
【図７】本発明における第２実施形態の携帯電話端末の動作を示すフローチャートである。
【図８】図７に示す実施形態の携帯電話端末の表示画面を示す図である。
【符号の説明】
【００８８】
１  通信ネットワーク
２  ウェブサーバ
３  基地局
４  携帯電話端末
１０  キーパッド部
１１  キー押下検出手段
１２  発光素子制御手段
１３  制御部
１４  表示部
１５  通信部
１６  キーシーケンスファイル記憶手段
１７  シーケンス選択手段
１８  キーシーケンス制御手段
１９  メッセージ表示手段
２１  通信手段
２２  仮パスワード発行手段
２３  キーシーケンスファイル作成手段
２４  ユーザ登録受付手段
【図１】
2008140195.tif 000003
【図２】
2008140195.tif 000004
【図３】
2008140195.tif 000005
【図４】
2008140195.tif 000006
【図５】
2008140195.tif 000007
【図６】
2008140195.tif 000008
【図７】
2008140195.tif 000009
【図８】
2008140195.tif 000010